(57)【要約】【課題】各利用者に適した電気機器の制御を可能にする施解錠システム及び電気機器制御システムを提供する。【解決手段】本発明に係る施解錠システム１は、専有部３の扉２０を電動で施解錠する電気錠装置２１と、電気錠装置２１による施解錠を許可するための専有部認証情報を記憶した電子キー１３から専有部認証情報を読み取って認証することで電気錠装置２１による施解錠を制御する室外リーダ２２及び室内リーダ２３と、を備える。電子キー１３は、専有部３の利用者を識別する個人識別情報を記憶する。室外リーダ２２及び室内リーダ２３は、電子キー１３から専有部認証情報と共に個人識別情報を読み取ると、電気錠装置２１を施解錠するときに、専有部３の電気機器２５ａ〜２５ｃを制御する電力管理装置２６に向けて個人識別情報を送信して、個人識別情報毎に定められた設定情報に基づいて電力管理装置２６に電気機器２５ａ〜２５ｃを制御させる。【選択図】図１
2016189511.tif 000002
【特許請求の範囲】
【請求項１】
専有部の扉を電動で施解錠する専有部施解錠装置と、
前記専有部施解錠装置による施解錠を許可するための専有部認証情報を記憶した電子キーから前記専有部認証情報を読み取って認証することで前記専有部施解錠装置による施解錠を制御する専有部側読取部と、を備えた施解錠システムであって、
前記電子キーは、前記専有部の利用者を識別する個人識別情報を記憶し、
前記専有部側読取部は、前記電子キーから前記専有部認証情報と共に前記個人識別情報を読み取ると、前記専有部施解錠装置を施解錠するときに、前記専有部の電気機器を制御する電気機器制御装置に向けて前記個人識別情報を送信して、前記個人識別情報毎に定められた設定情報に基づいて前記電気機器制御装置に前記電気機器を制御させることを特徴とする施解錠システム。
【請求項２】
共用部の扉を電動で施解錠する共用部施解錠装置と、
前記共用部施解錠装置による施解錠を許可するための共用部認証情報を、前記専有部認証情報及び前記個人識別情報と共に記憶した前記電子キーから、前記共用部認証情報を読み取って認証することで前記共用部施解錠装置による施解錠を制御する共用部側読取部と、を更に備え、
前記共用部側読取部は、前記電子キーから前記共用部認証情報と共に前記専有部認証情報及び前記個人識別情報を読み取ると、前記共用部施解錠装置を施解錠するときに、前記個人識別情報を前記電気機器制御装置へと送信して、前記個人識別情報毎に定められた設定情報に基づいて前記電気機器制御装置に前記電気機器を制御させることを特徴とする請求項１に記載の施解錠システム。
【請求項３】
前記専有部側読取部は、前記電子キーから前記専有部認証情報と共に前記個人識別情報を読み取ると、前記専有部施解錠装置を解錠するときに、前記個人識別情報で識別される利用者の帰宅宣言と共に前記個人識別情報を前記電気機器制御装置へと送信することを特徴とする請求項１又は２に記載の施解錠システム。
【請求項４】
前記専有部側読取部は、前記電子キーから前記専有部認証情報と共に前記個人識別情報を読み取ると、前記専有部施解錠装置を施錠するときに、前記個人識別情報で識別される利用者の外出宣言と共に前記個人識別情報を前記電気機器制御装置へと送信することを特徴とする請求項１又は２に記載の施解錠システム。
【請求項５】
前記共用部側読取部は、前記電子キーから前記共用部認証情報と共に前記個人識別情報を読み取ると、前記共用部施解錠を解錠するときに、前記個人識別情報で識別される利用者の帰宅事前宣言と共に前記個人識別情報を前記電気機器制御装置へと送信することを特徴とする請求項２に記載の施解錠システム。
【請求項６】
専有部の電気機器を制御可能な電気機器制御装置を備えた電気機器制御システムであって、
前記専有部の扉を電動で施解錠する専有部施解錠装置と、
前記専有部施解錠装置による施解錠を許可するための専有部認証情報を記憶した電子キーから前記専有部認証情報を読み取って認証することで前記専有部施解錠装置による施解錠を制御する専有部側読取部と、を更に備え、
前記電子キーは、前記専有部の利用者を識別する個人識別情報を記憶し、
前記専有部側読取部は、前記電子キーから前記専有部認証情報と共に前記個人識別情報を読み取ると、前記専有部施解錠装置を施解錠するときに、前記電気機器制御装置に向けて前記個人識別情報を送信し、
前記電気機器制御装置は、前記個人識別情報と、前記電気機器を制御するための設定であって前記個人識別情報毎に定められた設定情報とを記憶していて、前記専有部側読取部から前記個人識別情報を受信したとき、前記個人識別情報毎の設定情報に基づいて前記電気機器を制御することを特徴とする電気機器制御システム。
【請求項７】
前記電気機器制御装置は、共用部の扉を電動で施解錠する共用部施解錠装置と、前記共用部施解錠装置による施解錠を許可するための共用部認証情報を、前記専有部認証情報及び前記個人識別情報と共に記憶した前記電子キーから、前記共用部認証情報を読み取って認証することで前記共用部施解錠装置による施解錠を制御する共用部側読取部と、を備えた共用部側の施解錠システムに対して通信可能に接続され、
前記共用部側読取部が前記電子キーから前記共用部認証情報と共に前記専有部認証情報及び前記個人識別情報を読み取って、前記共用部施解錠装置を施解錠するときに、前記個人識別情報を送信すると、前記電気機器制御装置は、前記共用部側読取部から前記個人識別情報を受信したとき、前記個人識別情報毎に定められた設定情報に基づいて前記電気機器を制御することを特徴とする請求項６に記載の電気機器制御システム。
【請求項８】
前記電気機器制御装置は、前記個人識別情報毎に定められた設定情報であって利用者の帰宅時に前記電気機器を制御するための帰宅設定を前記設定情報として記憶し、
前記専有部側読取部は、前記電子キーから前記専有部認証情報と共に前記個人識別情報を読み取ると、前記専有部施解錠装置を解錠するときに、前記個人識別情報で識別される利用者の帰宅宣言と共に前記個人識別情報を前記電気機器制御装置へと送信し、
前記電気機器制御装置は、前記専有部側読取部から前記個人識別情報と共に前記帰宅宣言を受信したとき、前記帰宅設定に基づいて前記電気機器を制御することを特徴とする請求項６又は７に記載の電気機器制御システム。
【請求項９】
前記電気機器制御装置は、前記個人識別情報毎に定められた設定情報であって利用者の外出時に前記電気機器を制御するための外出設定を前記設定情報として記憶し、
前記専有部側読取部は、前記電子キーから前記専有部認証情報と共に前記個人識別情報を読み取ると、前記専有部施解錠装置を施錠するときに、前記個人識別情報で識別される利用者の外出宣言と共に前記個人識別情報を前記電気機器制御装置へと送信し、
前記電気機器制御装置は、前記専有部側読取部から前記個人識別情報と共に前記外出宣言を受信したとき、前記外出設定に基づいて前記電気機器を制御することを特徴とする請求項６又は７に記載の電気機器制御システム。
【請求項１０】
前記電気機器制御装置は、前記個人識別情報毎に定められた設定情報であって利用者の帰宅前に事前に前記電気機器を制御するための帰宅事前設定を前記設定情報として記憶し、
前記共用部側読取部が、前記電子キーから前記共用部認証情報と共に前記個人識別情報を読み取って、前記共用部施解錠を解錠するときに、前記個人識別情報で識別される利用者の帰宅事前宣言と共に前記個人識別情報を前記電気機器制御装置へと送信すると、前記電気機器制御装置は、前記共用部側読取部から前記個人識別情報と共に前記帰宅事前宣言を受信したとき、前記帰宅事前設定に基づいて前記電気機器を制御することを特徴とする請求項７に記載の電気機器制御システム。
【発明の詳細な説明】
【技術分野】
【０００１】
本発明は、扉の施解錠を制御する施解錠システム、及びこの施解錠システムを備えた電気機器制御システムに関する。
【背景技術】
【０００２】
従来から、集合住宅又は一般住宅のエントランスや玄関等や、ホテルやオフィスビル等の商業施設又は公共施設の出入口では、その部屋又は領域への入退室又は入退場を制限するために、利用者の保持するリモコンやＩＣカード等の電子キーに記憶された識別情報を認証したときに扉の電気錠の解錠や自動ドアの解錠及び開扉を行う施解錠システムが採用されている。
【０００３】
また、近年では、上記したような住宅や施設において、電力の消費や発電・蓄電設備をリアルタイムで統合的に管理し、快適さを保ちつつ節電を行ってエネルギー使用を最適化するエネルギー管理システム（ＥＭＳ：Ｅｎｅｒｇｙ  Ｍａｎａｇｅｍｅｎｔ  Ｓｙｓｔｅｍ）が採用されている。エネルギー管理システムには、例えば、住宅を対象としたＨＥＭＳ（Ｈｏｍｅ  ＥＭＳ）、オフィスビル等を対象としたＢＥＭＳ（Ｂｕｉｌｄｉｎｇ  ＥＭＳ）、工場等を対象としたＦＥＭＳ（Ｆａｃｔｏｒｙ  ＥＭＳ）等がある。このようなエネルギー管理システムでは、エネルギー使用の最適化を行うように、住宅や施設に備えられた家電や設備等の電気機器を制御する電気機器制御システムを採用し、この電気機器制御システムにおいて、上記した施解錠システムを適用したものがある。
【０００４】
例えば、特許文献１の住宅内機器制御システム（電気機器制御システム）は、電子キー認証部によって外出時に電子キーからＩＤ等の情報を取得してセキュリティ制御装置が認証を行って玄関ドアの施錠を制御すると共に、電子キー認証部が再度電子キーを認識することで外出モードへ移行して、エネルギー計測・表示装置が外出中の消費エネルギーの累積を開始する。そして、電子キー認証部によって帰宅時に電子キーからＩＤ等の情報を取得してセキュリティ制御装置が認証を行って玄関ドアを解錠すると共に、エネルギー計測・表示装置が外出中の累積した消費エネルギーを表示する。
【先行技術文献】
【特許文献】
【０００５】
【特許文献１】特開２０１４−１９２６２０号公報
【発明の概要】
【発明が解決しようとする課題】
【０００６】
住宅や施設では、住人や職員等の複数の利用者がそれぞれ異なる部屋や領域でそれぞれ異なる電気機器を利用していることがある。しかしながら、従来の電気機器制御システムでは、不特定の利用者が存在する場合と、利用者が全く存在しない場合とを判断することはできるが、各利用者を把握することはできない。従って、各利用者に個別に対応して電気機器を制御することができず、エネルギー使用の最適化が妨げられている。
【０００７】
本発明は、上記した課題を解決すべくなされたものであり、各利用者に適した電気機器の制御を可能にする施解錠システム及び電気機器制御システムを提供することを目的するものである。
【課題を解決するための手段】
【０００８】
上記した目的を達成するため、本発明は、専有部の扉を電動で施解錠する専有部施解錠装置と、前記専有部施解錠装置による施解錠を許可するための専有部認証情報を記憶した電子キーから前記専有部認証情報を読み取って認証することで前記専有部施解錠装置による施解錠を制御する専有部側読取部と、を備えた施解錠システムであって、前記電子キーは、前記専有部の利用者を識別する個人識別情報を記憶し、前記専有部側読取部は、前記電子キーから前記専有部認証情報と共に前記個人識別情報を読み取ると、前記専有部施解錠装置を施解錠するときに、前記専有部の電気機器を制御する電気機器制御装置に向けて前記個人識別情報を送信して、前記個人識別情報毎に定められた設定情報に基づいて前記電気機器制御装置に前記電気機器を制御させることを特徴とする。
【０００９】
この特徴を備えることにより、施解錠システムは、専有部側読取部による電子キーの情報の読取に連動して、専有部に入退室（入退場）する利用者を識別し、利用者毎の設定によって電気機器制御装置に電気機器を制御させることができる。従って、利用者の好みや行動パターンに適合した個別の設定で電気機器を制御させることで、各利用者に適した電気機器の制御を可能にして快適性や利便性を向上させると共に、エネルギー使用の最適化を図ることができる。
【００１０】
また、本発明に係る施解錠システムは、共用部の扉を電動で施解錠する共用部施解錠装置と、前記共用部施解錠装置による施解錠を許可するための共用部認証情報を、前記専有部認証情報及び前記個人識別情報と共に記憶した前記電子キーから、前記共用部認証情報を読み取って認証することで前記共用部施解錠装置による施解錠を制御する共用部側読取部と、を更に備え、前記共用部側読取部は、前記電子キーから前記共用部認証情報と共に前記専有部認証情報及び前記個人識別情報を読み取ると、前記共用部施解錠装置を施解錠するときに、前記個人識別情報を前記電気機器制御装置へと送信して、前記個人識別情報毎に定められた設定情報に基づいて前記電気機器制御装置に前記電気機器を制御させることを特徴としてもよい。
【００１１】
この特徴を備えることにより、施解錠システムは、共用部側読取部による電子キーの情報の読取に連動して、共用部に入退室（入退場）する利用者を識別し、利用者毎の設定によって電気機器制御装置に電気機器を制御させることができる。従って、利用者の好みや行動パターンに更に適合した個別の設定で電気機器を制御させることができ、快適性や利便性をより向上させることができる。
【００１２】
また、本発明に係る施解錠システムにおいて、前記専有部側読取部は、前記電子キーから前記専有部認証情報と共に前記個人識別情報を読み取ると、前記専有部施解錠装置を解錠するときに、前記個人識別情報で識別される利用者の帰宅宣言と共に前記個人識別情報を前記電気機器制御装置へと送信することを特徴とするとよい。
【００１３】
この特徴を備えることにより、施解錠システムは、利用者の帰宅時に適した個別の設定で電気機器を制御させることができ、快適性や利便性を更に向上させることができる。
【００１４】
また、本発明に係る施解錠システムにおいて、前記専有部側読取部は、前記電子キーから前記専有部認証情報と共に前記個人識別情報を読み取ると、前記専有部施解錠装置を施錠するときに、前記個人識別情報で識別される利用者の外出宣言と共に前記個人識別情報を前記電気機器制御装置へと送信することを特徴とするとよい。
【００１５】
この特徴を備えることにより、施解錠システムは、利用者の外出時に適した個別の設定で電気機器を制御させることができ、快適性や利便性を更に向上させることができる。
【００１６】
また、本発明に係る施解錠システムにおいて、前記共用部側読取部は、前記電子キーから前記共用部認証情報と共に前記個人識別情報を読み取ると、前記共用部施解錠を解錠するときに、前記個人識別情報で識別される利用者の帰宅事前宣言と共に前記個人識別情報を前記電気機器制御装置へと送信することを特徴とするとよい。
【００１７】
この特徴を備えることにより、施解錠システムは、利用者の帰宅前に個別の設定で電気機器を事前に制御させることができるため、利用者の帰宅時に、専有部の各部屋をより適した環境にすることができ、快適性や利便性を更に向上させることができる。
【００１８】
また、本発明は、専有部の電気機器を制御可能な電気機器制御装置を備えた電気機器制御システムであって、前記専有部の扉を電動で施解錠する専有部施解錠装置と、前記専有部施解錠装置による施解錠を許可するための専有部認証情報を記憶した電子キーから前記専有部認証情報を読み取って認証することで前記専有部施解錠装置による施解錠を制御する専有部側読取部と、を更に備え、前記電子キーは、前記専有部の利用者を識別する個人識別情報を記憶し、前記専有部側読取部は、前記電子キーから前記専有部認証情報と共に前記個人識別情報を読み取ると、前記専有部施解錠装置を施解錠するときに、前記電気機器制御装置に向けて前記個人識別情報を送信し、前記電気機器制御装置は、前記個人識別情報と、前記電気機器を制御するための設定であって前記個人識別情報毎に定められた設定情報とを記憶していて、前記専有部側読取部から前記個人識別情報を受信したとき、前記個人識別情報毎の設定情報に基づいて前記電気機器を制御することを特徴とする。
【００１９】
また、本発明に係る電気機器制御システムにおいて、前記電気機器制御装置は、共用部の扉を電動で施解錠する共用部施解錠装置と、前記共用部施解錠装置による施解錠を許可するための共用部認証情報を、前記専有部認証情報及び前記個人識別情報と共に記憶した前記電子キーから、前記共用部認証情報を読み取って認証することで前記共用部施解錠装置による施解錠を制御する共用部側読取部と、を備えた共用部側の施解錠システムに対して通信可能に接続される。前記共用部側読取部が前記電子キーから前記共用部認証情報と共に前記専有部認証情報及び前記個人識別情報を読み取って、前記共用部施解錠装置を施解錠するときに、前記個人識別情報を送信すると、前記電気機器制御装置は、前記共用部側読取部から前記個人識別情報を受信したとき、前記個人識別情報毎に定められた設定情報に基づいて前記電気機器を制御することを特徴とする。
【００２０】
また、本発明に係る電気機器制御システムにおいて、前記電気機器制御装置は、前記個人識別情報毎に定められた設定情報であって利用者の帰宅時に前記電気機器を制御するための帰宅設定を前記設定情報として記憶し、前記専有部側読取部は、前記電子キーから前記専有部認証情報と共に前記個人識別情報を読み取ると、前記専有部施解錠装置を解錠するときに、前記個人識別情報で識別される利用者の帰宅宣言と共に前記個人識別情報を前記電気機器制御装置へと送信し、前記電気機器制御装置は、前記専有部側読取部から前記個人識別情報と共に前記帰宅宣言を受信したとき、前記帰宅設定に基づいて前記電気機器を制御することを特徴とする。
【００２１】
また、本発明に係る電気機器制御システムにおいて、前記電気機器制御装置は、前記個人識別情報毎に定められた設定情報であって利用者の外出時に前記電気機器を制御するための外出設定を前記設定情報として記憶し、前記専有部側読取部は、前記電子キーから前記専有部認証情報と共に前記個人識別情報を読み取ると、前記専有部施解錠装置を施錠するときに、前記個人識別情報で識別される利用者の外出宣言と共に前記個人識別情報を前記電気機器制御装置へと送信し、前記電気機器制御装置は、前記専有部側読取部から前記個人識別情報と共に前記外出宣言を受信したとき、前記外出設定に基づいて前記電気機器を制御することを特徴とする。
【００２２】
また、本発明に係る電気機器制御システムにおいて、前記電気機器制御装置は、前記個人識別情報毎に定められた設定情報であって利用者の帰宅前に事前に前記電気機器を制御するための帰宅事前設定を前記設定情報として記憶し、前記共用部側読取部が、前記電子キーから前記共用部認証情報と共に前記個人識別情報を読み取って、前記共用部施解錠を解錠するときに、前記個人識別情報で識別される利用者の帰宅事前宣言と共に前記個人識別情報を前記電気機器制御装置へと送信すると、前記電気機器制御装置は、前記共用部側読取部から前記個人識別情報と共に前記帰宅事前宣言を受信したとき、前記帰宅事前設定に基づいて前記電気機器を制御することを特徴とする。
【発明の効果】
【００２３】
本発明によれば、各利用者に適した電気機器の制御を可能にする施解錠システム及び電気機器制御システムを提供する。
【図面の簡単な説明】
【００２４】
【図１】本発明の一実施形態に係る施解錠システム及び電気機器制御システムの全体構成を示す概略図である。
【図２】本発明の一実施形態に係る施解錠システムの利用者の帰宅の際の動作例を示すフローチャートである。
【図３】本発明の一実施形態に係る施解錠システムの利用者の外出の際の動作例を示すフローチャートである。
【図４】本発明の一実施形態に係る施解錠システムの利用者の帰宅前の事前の動作例を示すフローチャートである。
【発明を実施するための形態】
【００２５】
本発明の一実施形態に係る施解錠システムについて、添付の図面を参照しながら説明する。図１は、本発明の一実施形態に係る施解錠システム及び電気機器制御システムの構成の概略を示すブロック図、図２〜図４は、本発明の一実施形態に係る施解錠システムの動作を示すフローチャートである。
【００２６】
本実施形態において、施解錠システム１は、共用部２と専有部３とを備えた集合住宅に適用されていて、図１では一つの専有部３を図示したが、複数の専有部３が備えられていてよい。なお、複数の専有部３は複数の利用者群によってそれぞれ専有され、各利用者群は家族等の複数の利用者で構成される。また、施解錠システム１は、システム全体を統括して管理するサーバ等のシステム管理装置４を備えている。
【００２７】
共用部２には、当該共用部２の入退場（入退室）を規制する自動ドア１０（扉）が設けられ、自動ドア１０には、電動でこの自動ドア１０を施解錠すると共に開閉する開閉装置１１（共用部施解錠装置）が設けられる。また、共用部２には、リーダ１２（共用部側読取部）が自動ドア１０の近傍に設けられる。開閉装置１１及びリーダ１２は、システム管理装置４に接続されている。即ち、共用部２側では、システム管理装置４、開閉装置１１及びリーダ１２で自動ドア１０の施解錠システムが構成されている。
【００２８】
開閉装置１１は、システム管理装置４から施錠信号又は解錠信号を受信して、自動ドア１０を閉扉すると共に施錠し、又は解錠すると共に開扉するように構成されている。例えば、開閉装置１１は、人感センサ等の検知装置（図示せず）を備えて、検知装置が自動ドア１０付近の利用者を検知していない間は、自動ドア１０を閉扉すると共に施錠していて、検知装置が自動ドア１０に接近する利用者を検知すると共にシステム管理装置４から解錠信号を受信したときに、自動ドア１０を開扉する。また、開閉装置１１は、自動ドア１０を開扉した後、所定時間経過後に、検知装置が自動ドア１０付近の利用者を検知していなければ、自動ドア１０を閉扉すると共に施錠する。
【００２９】
リーダ１２は、所定の通信範囲内の電子キー１３と電磁波や電波によって非接触通信可能な読取装置又は受信装置であり、共用部２の外側及び内側でその周囲の壁面等に設けられる。リーダ１２は、電子キー１３に記憶された情報を読み取り、又は受信してシステム管理装置４へと送信する。電子キー１３は、例えば、非接触ＩＣカード、近接型ＩＣカード、ＩＣタグ、非接触型ＩＣ搭載の携帯端末等で構成される。なお、電子キー１３は、リーダ１２と非接触通信可能で利用者が携帯可能な記憶媒体であればこれらに限定されない。特に、電子キー１３は、共用部認証情報、専有部認証情報及び個人識別情報を記憶している。共用部認証情報は共用部２に入退場するために必要な情報であり、専有部認証情報は、専有部３に入退室（入退場）するために必要な情報であり、個人識別情報は、共用部２や専有部３の利用者を識別する情報である。
【００３０】
専有部３には、当該専有部３内への入退室を規制する扉２０（扉）が設けられ、扉２０には、電動でこの扉２０を施解錠する電気錠装置２１（専有部施解錠装置）が設けられる。また、専有部３には、室外リーダ２２（専有部側読取部）及び室内リーダ２３（専有部側読取部）が扉２０の近傍に設けられる。電気錠装置２１、室外リーダ２２及び室内リーダ２３は、システム管理装置４に接続され、電気錠装置２１は、後述する電力管理装置２６にも接続されている。即ち、専有部３側では、システム管理装置４、電気錠装置２１、室外リーダ２２及び室内リーダ２３で扉２０の施解錠システムが構成されている。また、共用部２及び専有部３を合わせた建物又は施設全体では、システム管理装置４と、共用部２側の開閉装置１１及びリーダ１２と、専有部３側の電気錠装置２１、室外リーダ２２及び室内リーダ２３とで施解錠システムが構成されている。
【００３１】
電気錠装置２１は、例えば、デッドボルト及び該デッドボルトを移動させる電動アクチュエータからなる施解錠機構と、電動アクチュエータを駆動するためのモータ等の駆動部とを備えて構成される（図示せず）。デッドボルトは、扉２０から突出するように移動して扉枠のストライク内に固定されることにより扉２０を施錠して開扉不能にし、他方、ストライクから抜脱するように移動して扉２０内に引き込まれることにより扉２０を解錠して開扉可能にする。電気錠装置２１は、システム管理装置４から施錠信号又は解錠信号を受信して、駆動部が電動アクチュエータを駆動して扉２０を施錠又は解錠するように構成されている。また、電気錠装置２１は、扉２０が閉扉された後、所定時間経過後に、扉２０を施錠する。
【００３２】
室外リーダ２２及び室内リーダ２３は、上記したリーダ１２と同様に、所定の通信範囲内の電子キー１３と電磁波や電波によって非接触通信可能な読取装置又は受信装置であり、それぞれ専有部３の室外及び室内でその周囲の壁面等に設けられる。室外リーダ２２及び室内リーダ２３は、電子キー１３に記憶された情報を読み取り、又は受信してシステム管理装置４へと送信する。
【００３３】
また、専有部３内には、１つ以上の部屋２４ａ〜２４ｃが設けられている。各部屋２４ａ〜２４ｃには、電気機器２５ａ〜２５ｃが備えられ、電気機器２５ａ〜２５ｃは、後述する電力管理装置２６に接続されている。電気機器２５は、例えば、照明器具、エアコン、給湯器、テレビジョン受像機、オーディオ機器、パーソナルコンピュータ、ＩＨ（Ｉｎｄｕｃｔｉｏｎ  Ｈｅａｔｉｎｇ）クッキングヒーター、冷蔵庫、洗濯機、電子レンジ、アイロン、ドライヤ等の様々な機器があり、ここでは、電力管理装置２６によって遠隔制御可能な機器を示し、電力管理装置２６によって遠隔制御可能なコンセント等に接続された機器を含む。
【００３４】
上記した電力管理装置２６（電気機器制御装置）は、専有部３の電気錠装置２１、室外リーダ２２、室内リーダ２３及び各部屋２４ａ〜２４ｃの電気機器２５ａ〜２５ｃで使用される電力の管理や制御を行うもので、即ち、専有部３におけるホームエネルギーマネジメントシステム（ＨＥＭＳ：Ｈｏｍｅ  Ｅｎｅｒｇｙ  Ｍａｎａｇｅｍｅｎｔ  Ｓｙｓｔｅｍ）の電気機器制御システム３０を実現する装置である。電力管理装置２６は、専有部３側の施解錠システムの一部を構成し、システム管理装置４に接続され、即ち、共用部２側の施解錠システムに通信可能に接続されている。
【００３５】
電力管理装置２６は、設定記憶部２７を備え、各部屋２４ａ〜２４ｃの電気機器２５ａ〜２５ｃを制御するための設定情報を、専有部３の利用者毎及び行動パターン（利用状況）毎に記憶する。設定情報は、例えば、電気機器２５ａ〜２５ｃを個別に、又はいくつかまとめて制御する情報であって、オン、オフ及び省電力モードの何れかに設定するフラグでよい。また、電気機器２５ａ〜２５ｃがエアコンの場合には、温度設定や強度設定を含んでよい。その他、電気機器２５ａ〜２５ｃについて遠隔制御可能な様々な設定を含んでよい。
【００３６】
例えば、設定記憶部２７は、当該専有部３の利用者全員が外出したときに、全ての部屋２４ａ〜２４ｃの全ての電気機器２５ａ〜２５ｃのうち、常時稼働が必要な冷蔵庫等の電気機器については省電力モードにすると共に、照明器具等の他の電気機器の電源をオフにする全員外出設定を記憶する。また、設定記憶部２７は、当該専有部３の一利用者Ａの行動パターンに合わせて電気機器２５ａ〜２５ｃを制御するような設定情報を記憶し、例えば、利用者Ａが個人的に使用している部屋２４ａの電気機器２５ａのうち、帰宅したときに稼働することを所望する照明器具やエアコン等の電気機器について、電源をオンにする利用者Ａの帰宅時設定を、この利用者Ａの個人識別情報に関連付けて記憶する。更に、設定記憶部２７は、利用者Ａの部屋２４ａの電気機器２５ａのうち、外出するときに省電力モードへの切り換えや停止することを所望する電気機器について、省電力モードへの切り換えや電源をオンにする利用者Ａの外出時設定を、この利用者Ａの個人識別情報に関連付けて記憶する。また更に、設定記憶部２７は、利用者Ａの部屋２４ａの電気機器２５ａのうち、帰宅よりも事前に稼働することを所望する電気機器について、電源を予めオンにする利用者Ａの帰宅事前設定を、この利用者Ａの個人識別情報に関連付けて記憶する。同様にして、設定記憶部２７は、当該専有部３の他の利用者Ｂや利用者Ｃが個人的に使用している部屋２４ｂや２４ｃの電気機器２５ｂや２５ｃについて、利用者Ｂや利用者Ｃの帰宅時設定、利用者Ｂや利用者Ｃの外出時設定、利用者Ｂや利用者Ｃの帰宅事前設定を、利用者Ｂや利用者Ｃの個人識別情報に関連付けて記憶する。
【００３７】
このように、設定記憶部２７には、各部屋２４ａ〜２４ｃの電気機器２５ａ〜２５ｃを制御するための設定情報が、専有部３の利用者毎に定められ、また行動パターン毎に定められて記憶される。
【００３８】
電力管理装置２６は、システム管理装置４から利用者の個人識別情報と共にその利用者の行動パターンの通知（後述する帰宅宣言、外出宣言、帰宅事前宣言等）を受信すると、その利用者の行動パターンに応じた設定情報を設定記憶部２７から取得し、取得した設定情報に基づいて各部屋２４ａ〜２４ｃの電気機器２５ａ〜２５ｃを制御する。
【００３９】
システム管理装置４は、共用部２のリーダ１２から共用部認証情報を受信したとき、受信した共用部認証情報と、システム管理装置４の記憶部（図示せず）に予め登録した共用部認証情報とが一致するか否かを照合し、一致する場合（認証した場合）、自動ドア１０を開扉するように開閉装置１１へと解錠信号を送信する。
【００４０】
また、システム管理装置４は、専有部３の室外リーダ２２又は室内リーダ２３から専有部認証情報を受信したとき、受信した専有部認証情報と、システム管理装置４の記憶部（図示せず）に予め登録した専有部認証情報とが一致するか否かを照合し、一致する場合（認証した場合）、扉２０が施錠状態であれば解錠するように電気錠装置２１へと解錠信号を送信し、また、扉２０が解錠状態であれば施錠するように電気錠装置２１へと施錠信号を送信する。
【００４１】
更に、システム管理装置４は、利用者が電子キー１３の情報をリーダ１２や室外リーダ２２又は室内リーダ２３に読み取らせて、上記したようにリーダ１２から受信した共用部認証情報や、室外リーダ２２又は室内リーダ２３から受信した専有部認証情報を認証したときに、その利用者の行動パターンを判定し、判定結果を専有部３の電力管理装置２６へと送信する。利用者の各行動パターンに応じた施解錠システム１の動作については後述する。
【００４２】
次に、このような構成を備えた施解錠システム１において利用者Ａが帰宅する際の動作について図２のフローチャートを参照しながら説明する。
【００４３】
先ず、施解錠システム１において、共用部２の自動ドア１０及び専有部３の扉２０は閉扉していると共に施錠されている状態であり、共用部２のリーダ１２や専有部３の室外リーダ２２及び室内リーダ２３は稼働していて電子キー１３の情報を読取可能な状態である。
【００４４】
ここで、専有部３の利用者Ａが外出先から帰宅して、専有部３の扉２０及び室外リーダ２２に接近し、電子キー１３を室外リーダ２２に接近させると、室外リーダ２２は、電子キー１３から専有部認証情報及び個人識別情報を読み取る（ステップＳ１）。
【００４５】
室外リーダ２２は、読み取った専有部認証情報及び個人識別情報をシステム管理装置４へと送信する。システム管理装置４は、室外リーダ２２が読み取った専有部認証情報と、記憶部（図示せず）に予め登録した専有部認証情報とを比較して、正当な情報であることを認証する（ステップＳ２：Ｙｅｓ）。
【００４６】
システム管理装置４は、専有部認証情報の認証時に専有部３の扉２０が施錠状態であるため、扉２０の解錠を行うことになる。扉２０の解錠については後述する。また、システム管理装置４は、専有部認証情報の送信元が室外リーダ２２であり、室外リーダ２２から更に個人識別情報を受信しているため（ステップＳ３：Ｙｅｓ）、この個人識別情報で識別される利用者Ａの行動パターンが帰宅であると判定する。そして、システム管理装置４は、この専有部認証情報に対応する専有部３の電力管理装置２６に対して、この個人識別情報及び帰宅宣言を送信する（ステップＳ４）。
【００４７】
電力管理装置２６は、システム管理装置４から受信した個人識別情報及び帰宅宣言に基づいて、設定記憶部２７からこの個人識別情報で識別される利用者Ａの帰宅設定を取得する。そして、電力管理装置２６は、この利用者Ａの帰宅設定に基づいて、この利用者Ａの部屋２４ａの電気機器２５ａを制御する（ステップＳ５）。
【００４８】
ところで、室外リーダ２２からの専有部認証情報を認証したシステム管理装置４は、扉２０の解錠を行うために、この専有部認証情報に対応する専有部３の電気錠装置２１に対して解錠信号を送信する（ステップＳ６）。システム管理装置４から解錠信号を受信した電気錠装置２１は、扉２０を解錠するように制御する（ステップＳ７）。
【００４９】
なお、図２では、個人識別情報及び帰宅宣言の送信（ステップＳ４）と電気機器の制御（ステップＳ５）の後で、電気錠装置への解錠信号の送信（ステップＳ６）を実行する例を示しているが、電気錠装置への解錠信号の送信（ステップＳ６）及び扉の解錠（ステップＳ７）は、個人識別情報及び帰宅宣言の送信（ステップＳ４）と電気機器の制御（ステップＳ５）とに並行して実行されてよい。
【００５０】
次に、このような構成を備えた施解錠システム１において利用者Ａが外出する際の動作について図３のフローチャートを参照しながら説明する。
【００５１】
専有部３の利用者Ａが外出する際に、専有部３の扉２０及び室内リーダ２３に接近し、電子キー１３を室内リーダ２３に接近させると、室内リーダ２３は、電子キー１３から専有部認証情報及び個人識別情報を読み取る（ステップＳ１１）。
【００５２】
室内リーダ２３は、読み取った専有部認証情報及び個人識別情報をシステム管理装置４へと送信する。システム管理装置４は、室内リーダ２３が読み取った専有部認証情報と、記憶部（図示せず）に予め登録した専有部認証情報とを比較して、正当な情報であることを認証する（ステップＳ１２：Ｙｅｓ）。
【００５３】
システム管理装置４は、専有部認証情報の認証時に専有部３の扉２０が施錠状態であるため、扉２０の解錠を行うことになる。システム管理装置４は、扉２０の解錠を行うために、この専有部認証情報に対応する専有部３の電気錠装置２１に対して解錠信号を送信する（ステップＳ１３）。システム管理装置４から解錠信号を受信した電気錠装置２１は、扉２０を解錠するように制御する（ステップＳ１４）。
【００５４】
そして、専有部３の利用者Ａが、解錠された扉２０を開扉して専有部３の室外に出て、室外リーダ２２に接近し、電子キー１３を室外リーダ２２に接近させると、室外リーダ２２は、電子キー１３から専有部認証情報及び個人識別情報を読み取る（ステップＳ１５）。
【００５５】
室外リーダ２２は、読み取った専有部認証情報及び個人識別情報をシステム管理装置４へと送信する。システム管理装置４は、室外リーダ２２が読み取った専有部認証情報と、記憶部（図示せず）に予め登録した専有部認証情報とを比較して、正当な情報であることを認証する（ステップＳ１６：Ｙｅｓ）。
【００５６】
システム管理装置４は、専有部認証情報の認証時に専有部３の扉２０が解錠状態であるため、扉２０の施錠を行うことになる。扉２０の施錠については後述する。また、システム管理装置４は、前回の解錠に係る専有部認証情報の送信元が室内リーダ２３であると共に今回の施錠に係る専有部認証情報の送信元が室外リーダ２２であり、室外リーダ２２から更に個人識別情報を受信しているため（ステップＳ１７：Ｙｅｓ）、この個人識別情報で識別される利用者Ａの行動パターンが外出であると判定する。そして、システム管理装置４は、この専有部認証情報に対応する専有部３の電力管理装置２６に対して、この個人識別情報及び外出宣言を送信する（ステップＳ１８）。なお、システム管理装置４は、室外リーダ２２から専有部認証情報及び個人識別情報を受信した後、所定時間経過後、又は扉２０から利用者Ａが離れたことを人感センサ等の検知装置（図示せず）で検知した後で、個人識別情報及び外出宣言を送信するとよい。
【００５７】
電力管理装置２６は、システム管理装置４から受信した個人識別情報及び外出宣言に基づいて、設定記憶部２７からこの個人識別情報で識別される利用者Ａの外出設定を取得する。そして、電力管理装置２６は、この利用者Ａの外出設定に基づいて、この利用者Ａの部屋２４ａの電気機器２５ａを制御する（ステップＳ１９）。
【００５８】
ところで、室外リーダ２２からの専有部認証情報を認証したシステム管理装置４は、扉２０の施錠を行うために、この専有部認証情報に対応する専有部３の電気錠装置２１に対して施錠信号を送信する（ステップＳ２０）。なお、システム管理装置４は、室外リーダ２２から専有部認証情報及び個人識別情報を受信した後、所定時間経過後、又は扉２０から利用者Ａが離れたことを人感センサ等の検知装置（図示せず）で検知した後で、施錠信号を送信するとよい。システム管理装置４から施錠信号を受信した電気錠装置２１は、扉２０を施錠するように制御する（ステップＳ２１）。
【００５９】
なお、図２では、個人識別情報及び外出宣言の送信（ステップＳ１８）と電気機器の制御（ステップＳ１９）の後で、電気錠装置への施錠信号の送信（ステップＳ２０）を実行する例を示しているが、電気錠装置への施錠信号の送信（ステップＳ２０）及び扉の施錠（ステップＳ２１）は、個人識別情報及び外出宣言の送信（ステップＳ１８）と電気機器の制御（ステップＳ１９）とに並行して実行されてよい。また、システム管理装置４は、上記と同様にして、専有部３の利用者全員の外出を判定した場合には、全員外出宣言を電力管理装置２６へと送信することになる。
【００６０】
次に、このような構成を備えた施解錠システム１において利用者Ａの帰宅を事前に把握する際の動作について図４のフローチャートを参照しながら説明する。
【００６１】
ここで、専有部３の利用者Ａが外出先から帰宅して、共用部２の自動ドア１０及びリーダ１２に接近し、電子キー１３をリーダ１２に接近させると、リーダ１２は、電子キー１３から共用部認証情報、専有部認証情報及び個人識別情報を読み取る（ステップＳ３１）。
【００６２】
リーダ１２は、読み取った共用部認証情報、専有部認証情報及び個人識別情報をシステム管理装置４へと送信する。システム管理装置４は、リーダ１２が読み取った共用部認証情報と、記憶部（図示せず）に予め登録した共用部認証情報とを比較して、正当な情報であることを認証する（ステップＳ３２：Ｙｅｓ）。
【００６３】
システム管理装置４は、共用部認証情報の認証時に共用部２の自動ドア１０が施錠状態であるため、自動ドア１０の解錠及び開扉を行うことになる。自動ドア１０の解錠及び開扉については後述する。また、システム管理装置４は、共用部認証情報の送信元がリーダ１２であり、リーダ１２から更に個人識別情報を受信しているため（ステップＳ３３：Ｙｅｓ）、この個人識別情報で識別される利用者Ａの行動パターンが帰宅であることを事前に判定する。そして、システム管理装置４は、受信した専有部認証情報に対応する専有部３の電力管理装置２６に対して、この個人識別情報及び帰宅事前宣言を送信する（ステップＳ３４）。
【００６４】
電力管理装置２６は、システム管理装置４から受信した個人識別情報及び帰宅事前宣言に基づいて、設定記憶部２７からこの個人識別情報で識別される利用者Ａの帰宅事前設定を取得する。そして、電力管理装置２６は、この利用者Ａの帰宅事前設定に基づいて、この利用者Ａの部屋２４ａの電気機器２５ａを制御する（ステップＳ３５）。
【００６５】
ところで、リーダ１２からの共用部認証情報を認証したシステム管理装置４は、自動ドア１０の解錠及び開扉を行うために、共用部２の開閉装置１１に対して解錠信号を送信する（ステップＳ３６）。システム管理装置４から解錠信号を受信した開閉装置１１は、自動ドア１０を解錠及び開扉するように制御する（ステップＳ７）。
【００６６】
なお、図２では、個人識別情報及び帰宅事前宣言の送信（ステップＳ３４）と電気機器の制御（ステップＳ３５）の後で、開閉装置への解錠信号の送信（ステップＳ３６）を実行する例を示しているが、開閉装置への解錠信号の送信（ステップＳ３６）及び自動ドア１０の解錠及び開扉（ステップＳ３７）は、個人識別情報及び帰宅事前宣言の送信（ステップＳ３４）と電気機器の制御（ステップＳ３５）とに並行して実行されてよい。
【００６７】
上記したように、本実施形態に係る施解錠システム１によれば、専有部３の扉２０を電動で施解錠する電気錠装置２１（専有部施解錠装置）と、電気錠装置２１による施解錠を許可するための専有部認証情報を記憶した電子キー１３から専有部認証情報を読み取って認証することで電気錠装置２１による施解錠を制御する室外リーダ２２及び室内リーダ２３（専有部側読取部）と、を備える。電子キー１３は、専有部３の利用者を識別する個人識別情報を記憶する。室外リーダ２２及び室内リーダ２３は、電子キー１３から専有部認証情報と共に個人識別情報を読み取ると、電気錠装置２１を施解錠するときに、専有部３の電気機器２５ａ〜２５ｃを制御する電力管理装置２６（電気機器制御装置）に向けて個人識別情報を送信して、個人識別情報毎に定められた設定情報に基づいて電力管理装置２６に電気機器２５ａ〜２５ｃを制御させる。
【００６８】
このような構成により、施解錠システム１は、室外リーダ２２及び室内リーダ２３による電子キー１３の情報の読取に連動して、専有部３に入退室（入退場）する利用者を識別し、利用者毎の設定によって電力管理装置２６に電気機器２５ａ〜２５ｃを制御させることができる。従って、利用者の好みや行動パターンに適合した個別の設定で電気機器２５ａ〜２５ｃを制御させることで、各利用者に適した電気機器２５ａ〜２５ｃの制御を可能にして快適性や利便性を向上させると共に、エネルギー使用の最適化を図ることができる。
【００６９】
また、本実施形態に係る施解錠システム１は、共用部２の自動ドア１０（扉）を電動で施解錠する開閉装置１１（共用部施解錠装置）と、開閉装置１１による施解錠を許可するための共用部認証情報を専有部認証情報及び個人識別情報と共に記憶した電子キー１３から、共用部認証情報を読み取って認証することで開閉装置１１による施解錠を制御するリーダ１２（共用部側読取部）と、を更に備える。リーダ１２は、電子キー１３から共用部認証情報と共に専有部認証情報及び個人識別情報を読み取ると、開閉装置１１を施解錠するときに、個人識別情報を電力管理装置２６へと送信して、個人識別情報毎に定められた設定情報に基づいて電力管理装置２６に電気機器２５ａ〜２５ｃを制御させる。
【００７０】
このような構成により、施解錠システム１は、リーダ１２による電子キー１３の情報の読取に連動して、共用部２に入退場（入退室）する利用者を識別し、利用者毎の設定によって電力管理装置２６に電気機器２５ａ〜２５ｃを制御させることができる。従って、利用者の好みや行動パターンに更に適合した個別の設定で電気機器２５ａ〜２５ｃを制御させることができ、快適性や利便性をより向上させることができる。
【００７１】
また、本実施形態に係る施解錠システム１において、室外リーダ２２及び室内リーダ２３は、電子キー１３から専有部認証情報と共に個人識別情報を読み取ると、電気錠装置２１を解錠するときに、個人識別情報で識別される利用者の帰宅宣言と共に個人識別情報を電力管理装置２６へと送信する。
【００７２】
このような構成により、施解錠システム１は、利用者の帰宅時に適した個別の設定で電気機器２５ａ〜２５ｃを制御させることができ、快適性や利便性を更に向上させることができる。
【００７３】
また、本実施形態に係る施解錠システム１は、室外リーダ２２及び室内リーダ２３は、電子キー１３から専有部認証情報と共に個人識別情報を読み取ると、電気錠装置２１を施錠するときに、個人識別情報で識別される利用者の外出宣言と共に個人識別情報を電力管理装置２６へと送信する。
【００７４】
このような構成により、施解錠システム１は、利用者の外出時に適した個別の設定で電気機器２５ａ〜２５ｃを制御させることができ、快適性や利便性を更に向上させることができる。
【００７５】
また、本実施形態に係る施解錠システム１は、リーダ１２は、電子キー１３から共用部認証情報と共に個人識別情報を読み取ると、開閉装置１１を解錠するときに、個人識別情報で識別される利用者の帰宅事前宣言と共に個人識別情報を電力管理装置２６へと送信する。
【００７６】
このような構成により、施解錠システム１は、利用者の帰宅前に個別の設定で電気機器２５ａ〜２５ｃを事前に制御させることができるため、利用者の帰宅時に、専有部３の各部屋２５ａ〜２５ｃをより適した環境にすることができ、快適性や利便性を更に向上させることができる。
【００７７】
なお、本実施形態に係る電気機器制御システム３０は、上記したような施解錠システム１を適用するため、上記した施解錠システム１と同様の構成を備えると共に、同様の効果を奏することができる。
【００７８】
また、他の実施形態では、専有部３の各部屋２４ａ〜２４ｃに人感センサ等の検知装置（図示せず）を備えて、電力管理装置２６がこの検知装置の検知結果に応じて各部屋２４ａ〜２４ｃにおける人の存在を監視する。また、専有部３の各部屋２４ａ〜２４ｃにガス漏れセンサや火災センサ等の検知装置（図示せず）を備えて、電力管理装置２６がこの検知装置の検知結果に応じて各部屋２４ａ〜２４ｃにおける異常を監視する。そして、電力管理装置２６は、利用者が共用部２のリーダ１２や専有部３の室外リーダ２２にアクセスしてシステム管理装置４から利用者の帰宅宣言又は帰宅事前宣言を受信したとき、この利用者の部屋２４ａ〜２４ｃにおける人の存在や異常を検知した場合に、システム管理装置４へと警報信号を送信する。システム管理装置４は、この警報信号を受信すると、共用部２のリーダ１２又は専有部３の室外リーダ２２へと警報信号を送信する。この警報信号を受信したリーダ１２又は室外リーダ２２は、ランプやブザー等の警報機器（図示せず）によって、利用者の部屋２４ａ〜２４ｃにおける人の存在や異常をその利用者へと通報する。
【００７９】
また、他の実施形態では、電力管理装置２６の設定記憶部２７は、各部屋２４ａ〜２４ｃの電気機器２５ａ〜２５ｃを制御するための設定情報を、各利用者の行動パターンが行われる時間帯や時期、環境毎に記憶し、又は、時間帯や時期、環境に応じて変更してもよい。例えば、電力管理装置２６が、システム管理装置４からの帰宅宣言を夜間に受信した場合には電気機器２５ａ〜２５ｃの照明器具を点灯させるが、日中に受信した場合には電気機器２５ａ〜２５ｃの照明器具を点灯させないような帰宅設定を設定記憶部２７に記憶する。また、電力管理装置２６が、専有部３の室外や室内の温度を監視していて、システム管理装置４からの帰宅事前宣言を受信したときに、監視温度が所定温度以上の場合には電気機器２５ａ〜２５ｃのエアコンを冷房で稼働させたり、監視温度が所定温度以下の場合には電気機器２５ａ〜２５ｃのエアコンを暖房で稼働させたりするような帰宅事前設定を設定記憶部２７に記憶する。
【００８０】
上記した実施形態では、共用部２に開閉装置１１で施解錠を制御される自動ドア１０を備えると共に専有部３に電気錠装置２１で施解錠を制御される扉２０を備える構成を説明したが、この構成に限定されない。例えば、他の実施形態では、共用部２及び専有部３の出入口には、必要に応じて、開き戸や引き戸、自動ドア等の様々な扉を適用可能である。
【００８１】
上記した実施形態では、共用部２のリーダ１２や専有部３の室外リーダ２２及び室内リーダ２３が電子キー１３から個人識別情報を読み取って、システム管理装置４や電力管理装置２６が個人識別情報に基づいて各利用者を識別する構成を説明したが、この構成に限定されない。例えば、他の実施形態では、共用部２のリーダ１２や専有部３の室外リーダ２２及び室内リーダ２３は、指紋、掌形、網膜、虹彩、血管、音声等を認証情報とする生体認証式の読取装置で構成され、システム管理装置４は、各利用者の認証情報を記憶部（図示せず）に予め登録しておき、生体認証によって各利用者を識別するように構成されてもよい。
【００８２】
上記した実施形態では、システム管理装置４が共用部認証情報や専有部認証情報を認証すると共に各利用者の帰宅、外出等の行動パターンを把握して、行動パターンに基づく通知を電力管理装置２６へと送信する例を説明したが、この例に限定されない。例えば、他の実施形態では、共用部２のリーダ１２や専有部３の室外リーダ２２及び室内リーダ２３が、共用部認証情報や専有部認証情報を認証すると共に各利用者の帰宅、外出等の行動パターンを把握して、行動パターンに基づく通知を電力管理装置２６へと送信するように構成されてもよい。あるいは、他の実施形態では、電力管理装置２６が、共用部２のリーダ１２や専有部３の室外リーダ２２及び室内リーダ２３から認証結果を受信して、その認証結果に基づいて各利用者の帰宅、外出等の行動パターンを把握するように構成されてもよい。
【００８３】
また、上記した実施形態では、共用部認証情報、専有部認証情報及び個人識別情報を区別して記載したが、個人識別情報が共用部認証情報及び専有部認証情報としての機能を含んでいて、電子キー１３がこのような個人識別情報のみを記憶するように構成されてもよい。このような構成では、共用部２のリーダ１２や専有部３の室外リーダ２２及び室内リーダ２３は、電子キー１３から個人識別情報を読み取ることで、共用部認証情報や専有部認証情報を読み取ることになる。また、システム管理装置４及び電力管理装置２６では、このような個人識別情報を記憶部（図示せず）や設定記憶部２７に予め登録する。そして、システム管理装置４は、共用部２のリーダ１２、室外リーダ２２及び室内リーダ２３から受信した個人識別情報に基づいて認証処理を行うことで、共用部認証情報や専有部認証情報の認証処理を行うことになり、開閉装置１１や電気錠装置２１の施解錠を許可するか否かの認証処理を行うことができる。
【００８４】
上記した実施形態では、本発明の施解錠システム１及び電気機器制御システム３０を、共用部２と専有部３とを備えた集合住宅に適用する構成を説明したが、この構成に限定されない。例えば、他の実施形態では、本発明の施解錠システム１及び電気機器制御システム３０は、戸建の一般住宅の玄関等や、ホテルやオフィスビル等の商業施設又は公共施設等、様々な建物や施設に適用することが可能である。また、電気機器制御システム３０は、ＨＥＭＳ以外のＢＥＭＳ（Ｂｕｉｌｄｉｎｇ  ＥＭＳ）やＦＥＭＳ（Ｆａｃｔｏｒｙ  ＥＭＳ）等の他のＥＭＳを構成するものでもよい。
【００８５】
また、上記した本発明の各実施の形態の説明は、本発明に係る施解錠システム及び電気機器制御システムにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００８６】
１    施解錠システム
２    共用部
３    専有部
４    システム管理装置
１０  自動ドア（扉）
１１  開閉装置（共用部施解錠装置）
１２  リーダ（共用部側読取部）
１３  電子キー
２０  扉
２１  電気錠装置（専有部施解錠装置）
２２  室外リーダ（専有部側読取部）
２３  室内リーダ（専有部側読取部）
２４ａ〜２４ｃ  部屋
２５ａ〜２５ｃ  電気機器
２６  電力管理装置（電気機器制御装置）
２７  設定記憶部
３０  電気機器制御システム
【図１】
2016189511.tif 000003
【図２】
2016189511.tif 000004
【図３】
2016189511.tif 000005
【図４】
2016189511.tif 000006